(57)【要約】【課題】  発光可能なブロック体を積み重ねたり、あるいは並べたりして遊び、又は装飾装置とすることもできるブロック玩具であって、ブロック体同士の接合及び離反を容易に行えるようにする。【解決手段】  発光体５（ＬＥＤ）を内蔵した透光性材で構成される立方体、直方体、円柱体等の所定の立体形状を有し、面を介して相互に接合可能なブロック体Ｂ１からなるブロック玩具である。前記ブロック体Ｂ１の面のうち、他のブロック体Ｂ１と接合する面に、他のブロック体Ｂ１を接合するための磁石４と、この磁石４に磁着する磁性体９とからなる磁着手段を設けたことを特徴としている。また発光体５はスイッチ１２操作で店頭制御する。【選択図】      図２
2005253496.tif 000002
【特許請求の範囲】
【請求項１】
発光体を内蔵した透光性材で構成される立方体、直方体、円柱体等の所定の立体形状を有し、面を介して相互に接合可能なブロック体からなるブロック玩具であって、
前記ブロック体の面のうち、他のブロック体と接合する面に、他のブロック体を接合するための磁着手段を設けたことを特徴とするブロック玩具。
【請求項２】
請求項１に記載のブロック玩具において、ブロック体は、発光体が設けられている発光部と、その発光体を駆動する駆動回路が設けられている基部とからなることを特徴とするブロック玩具。
【請求項３】
請求項１又は２に記載のブロック玩具において、発光部の表面は、ダイヤモンドカット面に形成されていることを特徴とするブロック玩具。
【請求項４】
請求項１乃至３のいずれかに記載のブロック玩具において、磁着手段は、ブロック体内に設けられていることを特徴とするブロック玩具。
【請求項５】
請求項１乃至４のいずれかにおいて、磁着手段は、接合する一方のブロック体では磁石であり、他方のブロック体では磁性体であることを特徴とするブロック玩具。
【請求項６】
請求項１乃至５のいずれかに記載のブロック玩具において、発光体は、一つのブロック体に複数個設けられていることを特徴とするブロック玩具。
【請求項７】
請求項１乃至６のいずれかに記載のブロック玩具において、発光体は、連続点灯、断続点灯又は所定の順序等に従って点灯制御させるものであることを特徴とするブロック玩具。
【請求項８】
請求項１乃至７のいずれかに記載のブロック玩具において、発光体は、ＬＥＤからなることを特徴とするブロック玩具。
【発明の詳細な説明】
【技術分野】
【０００１】
本発明はブロック玩具に係り、特にそれ自体が発光すると共に、磁着手段によって相互に接合可能で種々に造形でき、また装飾装置としても用いることができるブロック玩具に関する。
【背景技術】
【０００２】
従来、この種のブロック玩具としては積木が知られている。この積木玩具は、木製や合成樹脂製等の立方体、直方体、円柱体等の各種の立体形状からなるブロック体が用意されていて、遊戯者が複数のブロック体を積み重ねたり、あるいは並べたりして建築物や動物等に似せた形状を作って遊ぶことができるように構成されている。また、このブロック玩具の中には、ブロック体の一面に突起部を設けると共に、他の一面に他のブロック体に設けられている突起部を嵌入する嵌入孔を設け、ブロック体同士の接合力を高めてより複雑な形状を安定した形態のものとして造形できるようにしたものも存在している。
【０００３】
しかしながら、上記従来のブロック玩具は、自ら発光することがないので面白みに欠けるのである。これを解決するために、本出願人は、ブロック体自身が発光することができ、しかも、室内の装飾装置としても利用できるブロック玩具を別途提案している。
【特許文献１】特願２００３−３７８０５２
【発明の開示】
【発明が解決しようとする課題】
【０００４】
また上記の別途提案しているブロック玩具は、ブロック体の形状が著名な建築物等に似せた所定の形状を有し、かつ、発光することができるので、極めて面白みに富んだものとすることができるが、一個の形状の決まったブロック体からなるので、これを発展させて一層の変化性，意外性に富んだブロック玩具の出現が待たれていた。
【０００５】
そこで、本発明は、上記要望に応えるために成されたものであって、その目的は、発光することのできるブロック体を用いることで一層の変化性，意外性に富んだものとできると共に、磁着手段を介した接合方式とすることで特に積み重ね可能にしたブロック玩具を提供することにある。
【課題を解決するための手段】
【０００６】
本発明に係るブロック玩具は、上記目的を達成するために、発光体５を内蔵した透光性材で構成される立方体、直方体、円柱体等の所定の立体形状を有し、面を介して相互に接合可能なブロック体Ｂ１，…Ｂ４からなるブロック玩具であって、前記ブロック体Ｂ１，…Ｂ４の面のうち、他のブロック体Ｂ１，…Ｂ４と接合する面に、他のブロック体Ｂ１，…Ｂ４を接合するための磁着手段（４，９）を設けたことを特徴としている。
かかる構成からなるブロック玩具は、ブロック体Ｂ１，…Ｂ４の面のうち、他のブロック体Ｂ１，…Ｂ４と接合する面に、他のブロック体Ｂ１，…Ｂ４を接合するための磁着手段（４，９）を有しているので、その磁着手段（４，９）の磁力を利用して２個又は３個以上のブロック体Ｂ１，…Ｂ４を接合させて一個の所定の立体構造物を造形させる。
また、本発明に係るブロック玩具は、ブロック体Ｂ１，…Ｂ４は、発光体５が設けられている発光部１と、その発光体５を駆動する駆動回路が設けられている基部２とからなることを特徴としている。
そして、本発明に係るブロック玩具は、発光部１の表面は、ダイヤモンドカット面２２に形成されていることを特徴としている。
さらに、本発明に係るブロック玩具は、磁着手段（４，９）は、ブロック体Ｂ１，…Ｂ４内に設けられていることを特徴としている。
また、本発明に係るブロック玩具は、発光体５は、一つのブロック体Ｂ１，…Ｂ４に複数個設けられていることを特徴としている。
磁着手段（４，９）は、接合する一方のブロック体Ｂ１，…Ｂ４では磁石であり、他方のブロック体Ｂ１，…Ｂ４では磁性体例えば鉄材であることを特徴としており、１個のブロック体Ｂ１，…Ｂ４において接合方向で一方は磁石、他方は磁性体とすることで連結して複数個のブロック体Ｂ１，…Ｂ４を順次に接合させる。
そして、本発明に係るブロック玩具は、発光体５は、連続点灯、断続点灯又は所定の順序等に従って点灯制御させるものであり、発光体５は、ＬＥＤからなることを特徴としている。
【発明の効果】
【０００７】
本発明に係るブロック玩具は、発光体５を内蔵した透光性材で構成される立方体等の所定の立体形状を有するブロック体Ｂ１，…Ｂ４の面のうち、他のブロック体Ｂ１，…Ｂ４と接合する面に、他のブロック体Ｂ１，…Ｂ４を接合するための磁着手段（４，９）を設けているので、この磁着手段（４，９）を利用してブロック体Ｂ１，…Ｂ４同士を容易に接合することができると共に、接合されたブロック体Ｂ１，…Ｂ４を容易に離反することができる。このため、ブロック体Ｂ１，…Ｂ４の組合わせを変えて色々の立体形象物を容易に作ることができる。また、接合されたブロック体Ｂ１，…Ｂ４は、それぞれ発光することができるので、全体として興味ある意外性及び変化性に富んだ発光が出現し、ブロック玩具としても優れ、また装飾装置としても優れたものとすることができる。
【０００８】
また、本発明に係るブロック玩具は、ブロック体Ｂ１，…Ｂ４を発光体５が設けられている発光部１と、その発光体５を駆動する駆動回路が設けられている基部２としているので、発光体５を駆動する駆動回路を基部２内に容易に、かつ、外部から認識できないように設けることができる。
【０００９】
そして、本発明に係るブロック玩具は、発光部１の表面がダイヤモンドカット面２２に形成されているので、発光効果を一段と高めることができ、より装飾性を高めることができる。
【００１０】
さらに、本発明に係るブロック玩具は、この磁着手段（４，９）をブロック体Ｂ１，…Ｂ４内に設けているので、この磁着手段（４，９）が表面に現れず、この磁着手段（４，９）によって装飾性が損なわれることがない。
【００１１】
接合する一方のブロック体Ｂ１，…Ｂ４に設けた磁石４と、同じく他方のブロック体Ｂ１，…Ｂ４に設けた磁性体９とである磁着手段によってブロック体Ｂ１，…Ｂ４相互を接合するので、多数のブロック体Ｂ１，…Ｂ４を確実に連絡して組立てることができる。また、１個のブロックＢ１，…Ｂ４夫々において接合方向での一方の面には磁石４を、他方の面には磁性体９を配することで、順次に多数のブロック体Ｂ１，…Ｂ４を連結して組立てることができる。
【００１２】
また、本発明に係るブロック玩具は、発光体５を一つのブロックＢ１，…Ｂ４体に複数個設けているので、色彩性が豊かになり、装飾性をより高めることができる。
【００１３】
そして、本発明に係るブロック玩具は、発光体５を連続点灯、断続点灯又は所定の順序等に従って点灯制御させるので、点灯制御により変化性，意外性に富んだ発光が出現可能となり、装飾性をより高めることができる。
【００１４】
さらに、本発明に係るブロック玩具は、発光体５がＬＥＤからなるので、消費電力を小さくすることができ、かつ、発光体５の長寿命化を図ることができる。
【００１５】
なお、上記課題を解決するための手段の項及び発明の効果の項のそれぞれにおいて付記した符号は、図面中に記載した構成各部を示す部分との参照を容易にするために付したもので、図面中の符号によって示された構造・形状に本発明が限定されるものではない。
【発明を実施するための最良の形態】
【００１６】
以下、本発明を実施するための最良の形態を図面に基づいて説明する。図１乃至図５は、その一実施の形態に係るブロック玩具であって、ほぼ立方体を呈するブロック体Ｂ１を２個積み重ねて構成されている（図１参照）。このブロック体Ｂ１は、発光部１と基部２とからなり、発光部１はブロック体Ｂ１を水平方向に二分した上側の一方で、ブロック体Ｂ１の大部分を占めていて、合成樹脂製等の透明又はいわゆる半透明の所定の透光性材から作られている。そして、基部２はブロック体Ｂ１を水平方向に二分した下側の他方で、合成樹脂製で作られている。これら発光部１及び基部２を例えば同じ乳白色の合成樹脂製とすることもでき、この場合、発光部１が点灯していないときには、両者１，２が一体状のものとしての印象を与える。もちろん、基部２を発光部１とは異なる所定の色彩を有する材質とし、ブロック体Ｂ１に色彩上のアクセントを付けるようにしてもよい。
【００１７】
発光部１の四隅には、基部２側端で開口し、その基部２と反対側の壁面近くまで空けられている磁石挿入孔３がそれぞれ設けられていて、これら磁石挿入孔３には、磁石４がそれぞれ挿入固定されている。そして、その挿入された磁石４は、磁石挿入孔３の基部２と反対側の壁面に接着剤を用いて固定されている（図５参照）。また、この発光部１の基部２に接する面の中央部には、本発明の発光体（発光源）５に相当するＬＥＤを収納するための窪み状の収納部７が設けられている（図４参照）。なお、発光体５として、ここではＬＥＤを用いているが、豆電球等の他の発光体としてもよい。しかし、発光体としてＬＥＤを用いた場合は、消費出力が小さく、しかも長寿命化を図ることができる。
【００１８】
基部２の四隅には、発光部１側端で開口し、発光部１と反対側の低壁面近くまで空けられている磁性体挿入孔８がそれぞれ設けられていて、これら磁性体挿入孔８には、磁性体例えば鉄材９がそれぞれ固定挿入されている。そして、その挿入された磁性体９は、磁性体挿入孔８の底壁面に接着剤を用いて固定されている（図５参照）。また、この基部２の発光部１に接する面の上記収納部７に対向した中央部には、ＬＥＤを装着するための円枠状の装着部１０が設けられている（図４参照）。図中、１１は、その装着部１０に装着されたＬＥＤの如き発光体５を固定するための押え片である。
【００１９】
図中、１２はスイッチであって、基部２の１つの側面に設けられたスイッチ装着部１３に挿入するようにして設けられ、外部からオン・オフの操作ができるように構成されている。また、図中、１４は釦型の電池であって、基部２の底壁面中央部に設けられている電池収納部１５（図４参照）に収納できるように構成されている。そして、その電池収納部１５に収納された電池１４は、ビス１６で取外し可能に設けれられる蓋体１７で保持されるように構成されている（図４では、電池１４及びビス１６は省略されている）。したがって、ビス１６を回動して蓋体１７を外すと電池１４を交換することができる。なお、電池１４は、単三型乾電池等の棒状型の電池を用いるようにしてもよい。
【００２０】
上述した発光部１及び基部２の組み立ては、発光部１の磁石挿入孔３に磁石４を挿入固定すると共に、基部２の磁性体挿入孔８に磁性体９を挿入固定し、装着部１０に発光体５であるＬＥＤを押え片１１を用いて装着し、さらに、スイッチ装着部１３にスイッチ１２を装着した後、発光部１の下面と基部２の上面とを接着剤によって接合する。これにより一つのブロック体Ｂ１が得られる。なお、発光部１と基部２との接合は、接着剤によらずにねじ止めなどで接合してもよく、発光部１と基部２とを脱着自在としてもよい。
【００２１】
図１は、上述のようにして得られたブロック体Ｂ１を上下に２個積み重ねた状態を示している。この状態において、上側のブロック体Ｂ１と下側のブロック体Ｂ１とは、上側のブロック体Ｂ１の基部２に設けられている磁性体９と下側のブロック体Ｂ１の発光部１に設けられている磁石４とが磁力によって引き付けられているので、両ブロック体Ｂ１相互は安定した結合状態を維持することができる。尚、ブロック体Ｂ１相互の積み重ねに際し、その接合は磁着手段（４，９）によるも、図示例のように発光部１に磁石４を、基部２に磁性体９をそれぞれ配装する場合に限らず、発光部１に磁性体９を、基部２に磁石４を配装するものであってよい（図示せず）。また、これらの磁石４、磁性体９それぞれはブロック体Ｂ１外側面との間隔であるブロック体Ｂ１壁の肉厚は可能な限り薄くしてあり、場合によってはこれらの磁石４、磁性体９を露出させることもある。
【００２２】
もとより、ブロック体Ｂ１相互を磁石４と鉄材の如き磁性体９とからなる磁着手段によって接合するとき、両者を共に磁石４，９とすることもできる。このとき、安定した結合状態を維持するためには、上側のブロック体Ｂ１に設けられている磁石９と下側のブロック体Ｂ１に設けられている磁石４のＮＳのそれぞれの極性が適合していなければならないことはいうまでもない。したがって、磁石４及び磁石９は、ＮＳの極性が適合するように選択されて磁性体挿入孔３，８に挿入される。なお、このような磁石の選択を省略するために、上述のように磁石４，９いずれか一方を鉄片等の磁性体とすることができるが、２つの磁石を用いると結合状態をより強めることができる。
【００２３】
また、図１では、２つのブロック体Ｂ１を積み重ねるようにしたが、３個以上のブロック体Ｂ１を積み重ねるようにしてもよく、あるいは、複数個のブロック体Ｂ１を横方向に並べるようにしてもよく、さらには、横方向に並べたブロック体Ｂ１の上にさらに横方向に並べたブロック体Ｂ１を重ねて、つまり、レンガ積みのようにしてもよい。
【００２４】
図３は、上記発光体５、スイッチ１２及び電池１４の電気的な接続関係を示す回路図であり、スイッチ１２がオンされると発光体５が点灯し、スイッチ１２がオフされると発光体５が消灯できるように構成されている。なお、この電気回路には、スイッチ１２がオンされたときに、電池１４の電流を所定の時間間隔でオン・オフさせる制御回路を設けたり、あるいは、外部の音の強弱によりオンオフさせる制御回路を設けたりして発光体５の点灯制御を行って、ブロック体Ｂ１の発光に変化性，意外性を持たせるようにしてもよい。また、この電気回路は、他のブロック体Ｂ１に設けられる電気回路との間で協同して発光体５の点灯制御を行うようにしてもよい。この場合は、他のブロック体Ｂ１と接合する面に接触子が設けられて他のブロック体Ｂ１の電気回路と互いに接続され、一つのブロック体Ｂ１が点灯（発光）しているときに、他のブロック体Ｂ１を消灯したり、あるいは、両方のブロック体Ｂ１を点灯させたりなどの複雑な点灯制御が可能となる。
【００２５】
図６は、本発明の他の実施の形態に係るブロック体Ｂ２の斜視図であり、このブロック体Ｂ２は、上面、底面、右側面および左側面がほぼ長方形を呈し、正面及び背面がほぼ正方形を呈した直方体で構成されている。このブロック体Ｂ２も上記ブロック体Ｂ１同様に、発光部１及び基部２からなり、図示しないが、その内部構造も上記ブロック体Ｂ１と同様に構成されている。この図６に示されるブロック玩具は、直方体からなるブロック体Ｂ２で構成されているので、上記立方体からなるブロック体Ｂ１で構成されブロック玩具とは、趣の異なったものとすることができる。
【００２６】
図７及び図８は、本発明のさらに他の実施の形態に係るブロック玩具を示していて、円柱状のブロック体Ｂ３によって構成されている。この円柱状のブロック体Ｂ３も上記ブロック体Ｂ１，Ｂ２と同様に、発光部１及び基部２からなり、発光部１及び基部２には、上記ブロック体Ｂ１，Ｂ２と同様に、磁石挿入孔３、磁性体挿入孔８がそれぞれ設けられていると共に、これらの挿入孔３，８には、磁石４、磁性体９がそれぞれ挿入されて固定されている。また、基部２には、上記ブロック体Ｂ１，Ｂ２の基部２と同様に、スイッチ１２が設けられ、電池１４が収納されている。
【００２７】
図中、１８は、基部２の上面を覆うように設けられた円板であり、２本のビス１９を介して基部２上に取り付けられている。そして、この円板１８の上面で円周近くには、等間隔に複数の小型のＬＥＤの如き発光体２０が設けられている。すなわち、このブロック体Ｂ３には、上記ブロック体Ｂ１，Ｂ２に１個の発光体５が設けられているのと異なり、複数の小型の発光体２０が設けられている。これら発光体２０は、同一色とすることもできる他に色彩の異なるものとすることができる。そして、これら発光体２０は、図９に示されるように、スイッチ１２がオンされたときにスイッチング回路２１を介して全ての発光体２０を同時に点灯させたり、あるいは所定の順序に従って点灯させたりするように制御構成されている。
【００２８】
図１１は、上記ブロック体Ｂ３の上に別の他のブロック体Ｂ４を積み重ねた状態の斜視図であり、図１２は、上記ブロック体Ｂ３を２段に積み重ねた上に別の他のブロック体Ｂ４を積み重ねた状態の斜視図である。以下、図１３及び図１４を用いてこの別の他のブロック体Ｂ４について説明する。
【００２９】
このブロック体Ｂ４も上記ブロック体Ｂ１，…Ｂ３と同様に、発光部１及び基部２から構成されているが、発光部１の上面は、上記ブロック体Ｂ１，…Ｂ３の発光部１と異なりその上面はダイヤモンドカット面２２に形成されている。したがって、発光部１の内側からこのダイヤモンドカット面２２に光線が照射されると、その上面がキラキラと輝き、より発光性を高めることができる。なお、このブロック体Ｂ４の発光部１には、上記ブロック体Ｂ１，…Ｂ３の発光部１のように、この上に他のブロック体Ｂ１，…Ｂ３が積み重ねられることがないので、ブロック体Ｂ１，…Ｂ３に設けられているような磁石４は通常は設けられておらず、したがって、その磁石４用の磁石挿入孔３も設けられていない。ただ、図示を省略したが、磁性体９あるいは磁石４を有する小型のブロック体を別に用意しておくことで、これらの小型のブロック体を、磁石４あるいは磁性体９を埋設したダイヤモンドカット面それぞれに接合させることもできる。
【００３０】
このブロック体Ｂ４の基部２は、上記ロッブク体Ｂ３の基部２と同様に構成されていて、下方に位置するロッブク体Ｂ３と接合できるように構成されている。すなわち、このブロック体Ｂ４の基部２は、上記ロッブク体Ｂ３と同様に、磁性体挿入孔８が設けられていると共に、その磁性体挿入孔８には、磁性体９が挿入されて固定されている。また、この基部２には、上記ブロック体Ｂ３の基部２と同様に、スイッチ１２設けられ、電池１４が収納されている。そして、この基部２の上面を覆うように、複数の発光体２０を有する円板１８が２本のビス１９を用いて基部２の上面に取付けられている。
【００３１】
なお、上述の例では、磁石４、磁性体（磁石）９は４個設けられているが、これを１個、２個、３個又は５個以上としてもよく、さらに、ブロック体Ｂ１，…Ｂ３の上下の面だけでなく、側面にも磁石、磁性体（磁石）を設けるようにしてもよい。
【図面の簡単な説明】
【００３２】
【図１】本発明の一実施の形態に係るブロック体を２個積み重ねた状態の斜視図である。
【図２】本発明の一実施の形態に係るブロック体の分解斜視図である。
【図３】本発明の一実施の形態に係るブロック体の電気回路図である。
【図４】本発明の一実施の形態に係るブロック体の中央縦断面図である。
【図５】本発明の一実施の形態に係るブロック体の磁石挿入孔、磁性体挿入孔部分の縦断面図である。
【図６】本発明の他の実施の形態に係るブロック体の斜視図である。
【図７】本発明のさらに他の実施の形態に係るブロック体を２個積み重ねた状態の斜視図である。
【図８】本発明のさらに他の実施の形態に係るブロック体の分解斜視図である。
【図９】本発明のさらに他の実施の形態に係るブロック体の電気回路図である。
【図１０】本発明のさらに他の実施の形態に係るブロック体の磁石挿入孔部分の縦断面図である。
【図１１】本発明のさらに他の実施の形態に係るブロック体及びさらに別のブロック体を２個積み重ねた状態の斜視図である。
【図１２】本発明のさらに他の実施の形態に係るブロック体を２個積み重ねると共に、これにさらに別のブロック体を積み重ねた状態の斜視図である。
【図１３】本発明のさらに別の実施の形態に係るブロック体の分解斜視図である。
【図１４】本発明のさらに別の実施の形態に係るブロック体の斜視図である。
【図１５】本発明のさらに別の実施の形態に係るブロック体の磁石挿入孔、磁性体挿入孔部分の縦断面図である。
【符号の説明】
【００３３】
Ｂ１，Ｂ２，Ｂ３，Ｂ４…ブロック体
１…発光部                              ２…基部
３…磁石挿入孔                          ４…磁石
５…発光体                              ７…収納部
８…磁性体挿入孔                        ９…磁性体（磁石）
１０…装着部                            １１…押え片
１２…スイッチ                          １３…スイッチ装着部
１４…電池                              １５…電池収納部
１６…ビス                              １７…蓋体
１８…円板                              １９…ビス
２０…発光体                            ２１…スイッチング回路
２２…ダイヤモンドカット面
【図１】
2005253496.tif 000003
【図２】
2005253496.tif 000004
【図３】
2005253496.tif 000005
【図４】
2005253496.tif 000006
【図５】
2005253496.tif 000007
【図６】
2005253496.tif 000008
【図７】
2005253496.tif 000009
【図８】
2005253496.tif 000010
【図９】
2005253496.tif 000011
【図１０】
2005253496.tif 000012
【図１１】
2005253496.tif 000013
【図１２】
2005253496.tif 000014
【図１３】
2005253496.tif 000015
【図１４】
2005253496.tif 000016
【図１５】
2005253496.tif 000017